(57)【特許請求の範囲】
【請求項１】
左右に側板が並置され、後部に背板が配置され、上部にその先端側にペーパー切断刃を備えた切断押え蓋が配置された構成からなる本体の内部の下部側に、ロールペーパーを回転自在に保持するロールペーパー保持部を設け、ロールペーパー保持部のロールペーパーの上側を覆う位置に配置される下部ガイドと、上記背板と前後から挟む状態でロールペーパーから引き出されたペーパーを上側に向けてガイドする縦ガイドと、上記切断押え蓋と上下から挟む状態でロールペーパーから引き出されたペーパーを前部側に向けてガイドする上部ガイドとから構成されるペーパーガイドを上記ロールペーパー保持部の上部側に設け、上記切断押え蓋の先端で切断後のロールペーパー本体側のペーパー先端が垂下して手で掴むことが可能な長さになるように、上記ペーパーガイドの上部ガイドの先端を上記切断押え蓋の先端より後方の位置に設け、引き出されたペーパーに切断時に必要な張力の一部を上記上部ガイドの上面と上下から挟んで付与する第１負荷部材と、その前方で残りの切断時に必要な張力を付与する第２負荷部材とを上記切断押え蓋の下面に設けると共に、上記下部ガイドの前部側を支点として前方に向けて上記ペーパーガイドを回動可能に設け、ペーパーガイドの前方回動時に、ロールペーパー保持部のロールペーパーの上側を覆う位置に配置される下部ガイドを開き、開いた部分からロールペーパーをロールペーパー保持部内に落とし込み自在にしたことを特徴とするトイレットペーパーホルダー。
【請求項２】
ロールペーパー保持部の下部に、長さ方向に緩やかな凹型弧状で断面が上向きに凸型弧状のロールペーパー受片を設けた請求項１記載のトイレットペーパーホルダー。
【請求項３】
ペーパーガイドの前方回動時に、所定の回動位置でペーパーガイドを止めるガイドストッパーを左右の側板の前部側内面間に設けた請求項１記載のトイレットペーパーホルダー。
【請求項４】
ペーパーガイドを構成する上部ガイドの先端に接触して切断押え蓋が上側に開くのを阻止するストッパー片を切断押え蓋の前部側の側面に設けた請求項１記載のトイレットペーパーホルダー。
【発明の詳細な説明】
【技術分野】
【０００１】
この発明は、手が不自由であったり、視力が弱っている者でも、ロールペーパーから引き出されたペーパー先端を見つけ易くしかも掴み易くなると共に、ロールペーパーの交換作業も容易に行うことのできるトイレットペーパーホルダーに関するものである。
【背景技術】
【０００２】
一般的なトイレットペーパーホルダーは、例えば、ロールペーパーの中心部分の筒状ロール芯を挿通するロール軸の両側を支持して受ける軸受けが両側に設けられ、その上方側にロールペーパーを上側から押さえ、且つその先端が切断刃になっている切断押え蓋の構造からなっている。
新しいロールペーパーをトイレットペーパーホルダーに取り付ける場合は、切断押え蓋を上側に開き、ロールペーパーを使い切って残った筒状ロール芯が装着されているロール軸を軸受けから外し、ロール軸から筒状ロール芯を取り外した後に、新しいロールペーパーの中心部分の筒状ロール芯にロール軸を挿通させ、ロールペーパーが取り付けられたロール軸の両側を本体側の軸受けで軸支させ、上に開いていた切断押え蓋を倒してロールペーパーの表面側を押さえるようにすることで、取り付け作業は終わる。
また、これ以外のトイレットペーパーホルダーとしては、ロールペーパーの中心部分のロール芯に、その両側から挟むようにしてその内部に挿入する片持ち軸受けが左右に設けられ、その上方側にロールペーパーを上側から押さえ、且つその先端が切断刃になっている切断押え蓋の構造からなっている。片持ち軸受けは水平状態から上向きに傾く構造になっている。
新しいロールペーパーをトイレットペーパーホルダーに取り付ける場合は、切断押え蓋を上側に開き、ロールペーパーを使い切って残った筒状ロール芯を上向きに押し上げると、左右の片持ち軸受けは上側に傾いて、筒状ロール芯を簡単に取り外すことができる。その後、新しいロールペーパーは下側から上向きに押し上げると、左右の片持ち軸受けを上側に開いた後、復帰バネの働きによって、元の水平状態に戻る時に、左右の片持ち軸受けはその先端側がそれぞれ左右からロールペーパーの筒状ロール芯の内部に挿入されることで、新しいロールペーパーを簡単にトイレットペーパーホルダーに取り付けることができる。
上記のような構造からなるトイレットペーパーホルダーに取り付けられたロールペーパーを使用する場合には、切断押え蓋を上向きに開いてロールペーパーから引き出されるペーパー先端をロールペーパー表面から見つけて片手で掴んだり、ロールペーパーを回転させてロールペーパー表面から引き出されたペーパー先端側を垂下させてから掴んで、所定の長さペーパーを引き出して、切断押え蓋で切断して使用している。
ところで、これらの一般的なトイレットペーパーホルダーにあっては、手が不自由なく使え、また、視力も弱っていない場合には、ロールペーパーの交換作業やロールペーパーからのペーパー引き出し動作に何ら支障はなく問題がない。しかし、手が不自由であったり、視力が弱っている場合には事情が一変する。
即ち、最初に述べた構造のトイレットペーパーホルダーにあっては、手が不自由の場合には、ロールペーパーの交換作業は非常に困難である。また、２番目の構造にあっても、復帰バネによって両片持ち軸受けは水平に常時付勢されていて、手が不自由な者にとっては特に押し上げる動作は非常に難しく、ロールペーパーを手で掴んだ状態でこれに打ち勝って押し上げるのは大変な作業となる。
また、排便のあと、ロールペーパーからペーパーを引き出す際にも、ペーパー先端を掴むのも一苦労する。ロールペーパーの表面に巻き付いているペーパー先端を見つけるが大変である。この場合、上述したように、ロールペーパーを回転させる方法があるが、ペーパー先端がロールペーパーの表面に付着したまま一緒に回転して垂れ下がらないことが往々にして起こることがある。手が不自由の場合にはロールペーパーを回転させるのも大変な動作となる。
このような不便さを解消するものとして、実用新案登録第３１４９７９６号の「トイレットペーパーホルダーとその収納ボックス」が考案されている。この考案では、ペーパー先端をロールペーパーの表面から引き離し、ロールペーパーの前方側で垂下させていて、ペーパー先端を見つけやすくしかも掴みやすいようにしている。
【先行技術文献】
【特許文献】
【０００３】
【特許文献１】実用新案登録第３１４９７９６号
【発明の概要】
【発明が解決しようとする課題】
【０００４】
しかしながら、前記の実用新案登録第３１４９７９６号の考案にあっては、ペーパー先端を見つけやすくしかも掴みやすい利点はあるが、トイレットペーパーホルダーに新しいロールペーパーを取り付ける作業は、手が不自由であったり、視力が弱っている者にとっては非常に大変であると考えられる。即ち、トイレットペーパーホルダーにロールペーパーを装着した後に、ロールペーパーからペーパー先端側を引き出し、これを開口部７、８の双方或いは開口部８に通す必要があるからである。手が不自由な者にとってはこの作業は困難と考えられる。また、視力が弱っている者にとっても、便所の照明が薄暗いときにはちょっと難しく、やはり大変である。
【０００５】
この発明は、上記のような課題に鑑み、その課題を解決すべく創案されたものであって、その目的とするところは、ロールペーパーから引き出されたペーパー先端をロールペーパーの表面から引き離し、ロールペーパーから離れた位置で、ペーパー先端を見つけ易くしかも掴み易くなるのは勿論のこと、手が不自由であったり、視力が弱っている者でも、ロールペーパーの交換作業が容易に行うことのできるトイレットペーパーホルダーを提供することにある。
【課題を解決するための手段】
【０００６】
以上の課題を達成するために、請求項１の発明は、左右に側板が並置され、後部に背板が配置され、上部にその先端側にペーパー切断刃を備えた切断押え蓋が配置された構成からなる本体の内部の下部側に、ロールペーパーを回転自在に保持するロールペーパー保持部を設け、ロールペーパー保持部のロールペーパーの上側を覆う位置に配置される下部ガイドと、上記背板と前後から挟む状態でロールペーパーから引き出されたペーパーを上側に向けてガイドする縦ガイドと、上記切断押え蓋と上下から挟む状態でロールペーパーから引き出されたペーパーを前部側に向けてガイドする上部ガイドとから構成されるペーパーガイドを上記ロールペーパー保持部の上部側に設け、上記切断押え蓋の先端で切断後のロールペーパー本体側のペーパー先端が垂下して手で掴むことが可能な長さになるように、上記ペーパーガイドの上部ガイドの先端を上記切断押え蓋の先端より後方の位置に設け、引き出されたペーパーに切断時に必要な張力の一部を上記上部ガイドの上面と上下から挟んで付与する第１負荷部材と、その前方で残りの切断時に必要な張力を付与する第２負荷部材とを上記切断押え蓋の下面に設けると共に、上記下部ガイドの前部側を支点として前方に向けて上記ペーパーガイドを回動可能に設け、ペーパーガイドの前方回動時に、ロールペーパー保持部のロールペーパーの上側を覆う位置に配置される下部ガイドを開き、開いた部分からロールペーパーをロールペーパー保持部内に落とし込み自在にした手段よりなるものである。
【発明の効果】
【０００７】
課題を解決するための手段よりなるこの発明に係るトイレットペーパーホルダーによれば、ペーパーガイドによってロールペーパーから引き出されたペーパー先端をロールペーパーの表面から引き離し、ロールペーパーから離れた位置にある上部ガイドの先端より垂下させることができるので、ペーパー先端を見つけ易くしかも掴み易くすることができる。そして、ロールペーパーからペーパーを引き出すことができるのは勿論、所望の長さ引き出したペーパーを片手のみの使用で切断することができる。しかも、ペーパーガイドを前方に傾けることによって、ロールペーパー保持部の内部にロールペーパーを落とし込むことができるので、力を使わずにロールペーパーをセットすることができ、手が不自由な者でも片手で容易に行うことができる。さらに、ロールペーパーの先端を掴んだ状態でロールペーパーをロールペーパー保持部の内部に落とし込んで、ペーパーガイドを元に押して戻すだけで、ロールペーパーから引き出されたペーパーの先端側はペーパーガイドにガイドされて、ペーパー先端が上部ガイドの先端から垂下され、その取り付け作業も手が不自由な者でも片手で容易に行うことができる。
【０００８】
請求項２のように、ロールペーパー保持部の下部にロールペーパーを支える左右のロールペーパー受片を設けた場合には、ロールペーパーをロールペーパー保持部の内部で回転自在にこのロールペーパー受片で支えることができる。
【０００９】
請求項３のように、ペーパーガイドの前方回動時に、所定の回動位置でペーパーガイドを止めるガイドストッパーを側板の前部側内面間に設けた場合には、ペーパーガイドが必要以上に開くのを防いで、開き過ぎによって、一部が傷ついたりするのを未然に防ぐことができる。
【００１０】
請求項４のように、ペーパーガイドを構成する上部ガイドの先端に接触して切断押え蓋が上側に開くのを阻止するストッパー片を切断押え蓋の前部側の側面に設けた場合には、切断押え蓋の先端に備えられたペーパー切断刃でペーパーを切断する際に、切断押え蓋が上側に開いて、切断できなくなる事態になるのを防ぐことができる。
【図面の簡単な説明】
【００１１】
【図１】この発明を実施するための形態を示すトイレットペーパーホルダーの一部透視の全体斜視図である。
【図２】この発明を実施するための形態を示すトイレットペーパーホルダーの側断面図である。
【図３】この発明を実施するための形態を示すトイレットペーパーホルダーの正面図である。
【図４】この発明を実施するための形態を示すトイレットペーパーホルダーの一部切り欠き背面図である。
【図５】（Ａ）はこの発明を実施するための形態を示すトイレットペーパーホルダーの一部切り欠き平面図、（Ｂ）はこの発明を実施するための形態を示すトイレットペーパーホルダーの底面図である。
【図６】この発明を実施するための形態を示すトイレットペーパーホルダーの側面図である。
【図７】この発明を実施するための形態を示すペーパーガイドの斜視図である。
【図８】この発明を実施するための形態を示すトイレットペーパーホルダーへのロールペーパーの取り付け時の説明図である。
【図９】この発明を実施するための形態を示すトイレットペーパーホルダーへのロールペーパーの取り付け終了時の説明図である。
【図１０】この発明を実施するための形態を示すロールペーパーの取り付け向きを変えたときのトイレットペーパーホルダーの側断面図である。
【発明を実施するための形態】
【００１２】
以下、図面に記載の発明を実施するための形態に基づいて、この発明をより具体的に説明する。
【００１３】
図において、トイレットペーパーホルダー１は、ペーパー先端ｃをロールペーパーａの表面から引き離し、ロールペーパーａから離れた位置で、ペーパー先端ｃを見つけ易くしかも掴み易くなるのは勿論のこと、手が不自由であったり、視力が弱っている者でも、ロールペーパーａの交換作業が容易に行うことができる特徴を有しており、下部側のロールペーパー保持部２と、その上側に設けられるペーパーガイド３から基本的に構成されている。
【００１４】
トイレットペーパーホルダー１は、左右に並置された側板１１、後部に配置された背板１２、及び上部に配置された切断押え蓋１３とから外枠の本体が構成されている。叉正面側の下部には、下部正面板１４が配置されている。トイレットペーパーホルダー１は、上下方向が高い直方体状の箱形の形状を有していて、上記の側板１１で左右の側面が塞がれ、背板１２で後部の背面側が塞がれ、切断押え蓋１３によりその上面側が塞がれている。
【００１５】
つまり、トイレットペーパーホルダー１は、正面側と底面側が開放されている。下部側の正面側は、ロールペーパーａのペーパーｂを使い切ってロール芯ｄだけになったときに、これを手を使ってロール芯ｄを取り出して排出するために、手が入れられるように開放されている。
【００１６】
トイレットペーパーホルダー１の左右の側面を塞ぐ上記側板１１は、下部側のロールペーパー保持部２のロールペーパーａが側面側から外部に逸脱したりズレたりするのを防ぐ機能を果たす。また、側板１１の上端側は上記切断押え蓋１３の左右側を挟むようにして塞いでいて、この部分から取り出し中のペーパーｂが逸脱したりズレたりするのを防ぐ機能を果たす。
【００１７】
セット位置のペーパーガイド３の内側に対応する部分は、塞ぐ必然性はないため、コ字状に切り欠いて開放状態になっている。ロールペーパー保持部２の両側はロールペーパーａを使い切った後に残るロール芯ｄを取り出すための排出口として、コ字状に切り欠いて開放状態になっている。上下がそれぞれコ字状に切り欠かれているので、側面は全体としてはＥ型になっている。
【００１８】
トイレットペーパーホルダー１の後部の背面側を塞ぐ上記背板１２は、下部側のロールペーパー保持部２のロールペーパーａが後部の背面側から外部に逸脱したりズレたりするのを防ぐ機能を果たす。また、背板１２の上半分側は、ロールペーパー保持部２から上向きに引き出されたペーパーｂを、ペーパーガイド３の縦ガイド３２と協働して前後から僅かな隙間を有する状態で挟んで、この部分から取り出し中のペーパーｂが逸脱したりズレたりするのを防ぐ機能を果たす。
【００１９】
トイレットペーパーホルダー１の上面側を塞ぐ切断押え蓋１３は、ロールペーパー保持部２から上向きを経て水平向きに引き出されたペーパーｂを、ペーパーガイド３の上部ガイド３３と協働して上下から軽く挟むに際して、ペーパーｂの上面側を軽く挟んで押さえて、切断押え蓋１３の先端から引き出されたペーパーｂにペーパーに切断時に必要な張力を付与する機能と、その先端でペーパーｂを切断する機能とを有するものである。
【００２０】
このため、切断押え蓋１３の下面には、引き出されたペーパーに切断時に必要な張力の一部を後記の上部ガイド３３の上面と上下から挟んで付与する第１負荷部材１５と、その前方で残りの切断時に必要な張力を付与する第２負荷部材１６とが設けられている。ペーパーｂの上面側に直に接する第１負荷部材１５と第２負荷部材１６とが設けられた切断押え蓋１３の下面は例えば平坦面に形成されている。
【００２１】
切断押え蓋１３の先端側は、正面側の側板１１の前端付近に位置し、叉ペーパーｂを切断し易いように少し下向きに丸み帯びており、その下向きに丸みを帯びた先端にはペーパーｂを切断するために、ペーパー切断刃１３ａが備えられている。ペーパー切断刃１３ａは例えば小さな鋸刃から構成されている。鋸刃の部分はプラスチックなどの素材で構成されていて、鋸刃の部分で指などがケガしないように配慮されている。
【００２２】
切断押え蓋１３はロールペーパーａのセット時には後端側を支点として上向きに開くような構造になっている。このため、切断押え蓋１３の後端側の両側面には側方に僅かに突起する回動軸１３ｂが形成されている。両回動軸１３ｂは、左右の側板１１の内面のこれに対応する箇所に形成された軸穴に軸支されて、上下回りに回動して、切断押え蓋１３を上向きに開き、叉下向きに閉じさせる。
【００２３】
切断押え蓋１３の前部側の両側面には、ストッパー片１３ｃが設けられている。ストッパー片１３ｃは、側板１１の上部側の内側面の対応する箇所に形成されたストッパー受穴１１ａに係合して、切断押え蓋１３が上側に開くのを阻止する機能を果たす。
【００２４】
切断押え蓋１３の下面に設けられた第１負荷部材１５と第２負荷部材１６とは、既にふれたように、引き出されたペーパーｂに切断時に必要な張力を付与するものである。ペーパーｂは直接にはペーパー切断刃１３ａで切断されるが、ペーパーｂが弛んだ状態ではペーパー切断刃１３ａで切断できない。ペーパーｂがピーンと張った状態つまり一定の切断時に必要な張力が付与されて初めてペーパーｂはペーパー切断刃１３ａでの切断が可能になるのである。
【００２５】
つまり、ペーパーｂをペーパー切断刃１３ａで切断する場合には、ペーパーｂの先端側を手で引っ張るのは勿論であるが、ペーパー切断刃１３ａを挟んで反対側のペーパーｂはそのとき一時的に固定されていることが必要である。もし、反対側が一時的に固定されていないときには、ペーパーｂはペーパー切断刃１３ａで切断される前に引っ張られる側に移動して切断不能となるからである。
【００２６】
本願の発明は、ペーパーｂの反対側を一時的に固定する負荷を与えるものとして第１負荷部１５と第２負荷部１６を使用するのである。そして、第１負荷部１５と第２負荷部１６により反対側を一時的に固定することによって、ペーパーｂはピーンと張った状態になり、第２負荷部１６と手で引っ張る先端との間のペーパーｂには、切断時に必要な張力が付与されることになる。
【００２７】
このペーパーｂの切断時に必要な張力の大きさは、ペーパーｂの材質やペーパー切断刃１３ａの鋭利さの度合いに影響される。ペーパーｂが切れやすい材質の場合や、ペーパー切断刃１３ａが鋭利であるときには、ペーパーｂの切断時に必要な張力は小さくてすみ、逆のときには切断時に必要な張力は大きくなる。
【００２８】
ペーパーｂの先端側を手で引っ張ったときに、第１負荷部材１５は切断時に必要な張力の例えば７割前後をペーパーｂに付与し、残りはその前方の第２負荷部材１６で付与する構造になっている。第１負荷部材１５で切断時に必要な張力を１００％付与する構造にすると、ペーパーｂを引き出している最中に、ペーパーｂに形成されたミシン目で短い長さで切断されて、トイレのペーパーｂとして使用するには十分でない長さになることが生じるからである。また、第１負荷部材１５は引き出してその前方で垂下させたペーパーｂが、下側のロールペーパー保持部２に引き戻されるのを防ぐ機能も果たす。
【００２９】
第１負荷部材１５は、後記の上部ガイド３３と上下で対応する切断押え蓋１３の下面に図面では平面状に設けられている。第１負荷部材１５はその下側の上部ガイド３３の上面と上下からペーパーｂを挟むことで、ペーパーｂの切断時に必要な張力の例えば７割前後を付与する。第１負荷部材１５の接触面には、ペーパーｂとの間で接触抵抗を生じさせ且つペーパーｂを傷つけない柔らかな材料が使用される。例えば不織布などが使用される。第１負荷部材１５はその厚みをペーパーｂの厚みに応じて自由に変更できるように調整可能になっている。
【００３０】
第２負荷部材１６は、残りの例えば３割前後のペーパーｂの切断時に必要な張力を付与するもので、第１負荷部材１５の前方の切断押え蓋１３の下面に下向きに設けられている。第２負荷部材１６の下部側にペーパーｂが接触することで生じる接触抵抗によって、残りのペーパーｂの切断時に必要な張力を付与するようになっている。ペーパーｂの上面側と接触する第２負荷部材１６の下部側には、ペーパーｂとの間で接触抵抗を生じさせ且つペーパーｂを傷つけない柔らかな材料が使用される。例えば不織布などが使用される。
【００３１】
トイレットペーパーホルダー１の本体の内部の下部側には、ロールペーパーａが回転自在に保持されるロールペーパー保持部２が設けられている。ロールペーパー保持部２の下部にはロールペーパーａを回転自在に保持するために、左右一対のロールペーパー受片２１が設けられている。また、ロールペーパーａが左右にずれずにスムーズにロールペーパー保持部２に収納されるように、ロールペーパー保持部２の両内側にはペーパー側部ガイド片２２がそれぞれ取り付けられている。両ペーパー側部ガイド片２２は上部側が上向きに拡開している。
【００３２】
ロールペーパー受片２１は、その前端が正面の下部側に配置された下部正面板１４に、後端が背板１２の下部側に、それぞれ取り付けられていて、ロールペーパーａを下側から回転自在に支えるようになっている。ロールペーパーａを下側から支える左右の各ロールペーパー受片２１は、ロールペーパーａの最大直径よりも大きな曲率の長さ方向つまり前後方向に緩やかな凹型弧状になっている。また、その断面は上向きに凸型弧状の例えば半円弧状になっていて、ロールペーパーａの表面との接触面積が小さく、その接触抵抗を小さくしてロールペーパーａが回転しにくくなるのを防いでいる。
【００３３】
ロールペーパー保持部２の上部側にはペーパーガイド３が設けられている。ペーパーガイド３は、ロールペーパー保持部２のロールペーパーａの上側を覆う位置に配置される下部ガイド３１と、上記背板１２と前後から挟む状態でロールペーパーａから引き出されたペーパーｂを上側に向けてガイドする縦ガイド３２と、上記切断押え蓋１３の下面に設けられた第１負荷部材１５と上下から挟む状態でペーパーｂを前部側に向けてガイドする上部ガイド３３とから構成されている。ペーパーガイド３は側面からみて、上側が短い断面コ字状の形状をしている。
【００３４】
下部ガイド３１は、前端面３１ｃが正面側の側板１１の前端付近に位置し、後端側が後部の背板１２に向けて延設されている。ロールペーパーａに臨む側となる下部ガイド３１の下面は後部の背板１２に向けて、緩やかな上向きの傾斜面に形成されている。ロールペーパーａが上向きに引き出される際に、ロールペーパーａが上向きに移動するのを防ぐ役目を果たす。
【００３５】
また、ロールペーパーａが図１０に示すような向きにロールペーパー保持部２に入れられている時には、背板１２寄り側の下部ガイド３１の下面が引き出されたペーパーｂの表面に接して、縦ガイド３２に向けて案内する役目を果たす。下部ガイド３１の下面の両側端にはこれよりも少し下側に突出する下部側端溝壁３１ａが前端側から後端側に向けてそれぞれ形成されている。下部側端溝壁３１ａはペーパーｂが左右にずれるのを防ぐ機能を果たす。下部側端溝壁３１ａは下面が後端側に向けて斜め上向きに曲がっている関係で、相対的に後端側に向けて下面からの下向きの突出高さが大きくなっている。
【００３６】
ところで、ペーパーガイド３はロールペーパーａの取り付け時には下部ガイド３１の先端側を支点として正面側つまり手前側に向けて上向きに回動しながら開くような構造になっている。このため、下部ガイド３１の前端側の両側面には側方に僅かに突起する回動支点軸３１ｂが形成されている。両回動支点軸３１ｂは、左右の側板１１の内面のこれに対応する箇所に形成された軸穴に軸支されて、上下回りに回動して、ペーパーガイド３を上向きに開き、叉下向きに閉じさせる。
【００３７】
縦ガイド３２は、背板１２の内面側に平行に位置し、上下に向けて延設されている。縦ガイド３２の下端側は下部ガイド３１の後端側に続いていて、その箇所は丸みをおびている。同様に、縦ガイド３２の上端側は上部ガイド３３の後端側に続いていて、その箇所は丸みをおびている。縦ガイド３２はロールペーパーａから引き出されたペーパーｂを上向きにガイドして上部ガイド３３側に案内する役目を果たす。
【００３８】
縦ガイド３２の垂直な表面の両側端にはこれよりも後方側の背板１２に向けて少し突出する縦側端溝壁３２ａが下端側から上端側に向けてそれぞれ形成されている。縦側端溝壁３２ａはペーパーｂが左右にずれるのを防ぐ機能を果たす。また、縦側端溝壁３２ａの壁表面が後方の背板１２に直に当接することで、縦ガイド３２の垂直表面が背板１２の内面に密接するのを防いで隙間を確保し、ペーパーｂの上側への引き出しをスムーズにしている。
【００３９】
上部ガイド３３は、前端部３３ｂが正面側に向き側板１１の中間付近に位置し、後端側が後部の背板１２に向けて延設されている。上部ガイド３３は、ロールペーパー保持部２から上向きを経て水平向きに引き出されたペーパーｂを、前記した切断押え蓋１３の下面に設けられた第１負荷部材１５と上下で協働して上下から軽く挟むに際して、ペーパーｂの下面側を軽く挟んで押さえて、切断押え蓋１３の先端から引き出されたペーパーｂに切断時に必要な張力の一部を付与する機能と、切断後のペーパーｂの先端側を垂下させて手で掴み易くする機能とを有するものである。引き出されたペーパーｂと接触する側となる上部ガイド３３の上面は平坦面に形成されている。
【００４０】
上部ガイド３３の上面の両側端には、これよりも上方側の切断押え蓋１３の下面に向けて少し上向きに突出する上部側端溝壁３３ａが前端部３３ｂ側から後端側に向けてそれぞれ形成されている。上部側端溝壁３３ａはペーパーｂが左右にずれるのを防ぐ機能を果たす。また、上部側端溝壁３３ａの上端面が上方の切断押え蓋１３の下面に直に当接することで、上部側端溝壁３３ａの上面が切断押え蓋１３の下面に密接するのを防いで、第１負荷部材１５による切断時に必要な張力の一部を付与できる隙間を確保し、ペーパーｂの引き出しと切断をスムーズにしている。
【００４１】
上部ガイド３３の前端部３３ｂの位置は、前記したように、側板１１の中間位置で、その上方の切断押え蓋１３の前端のペーパー切断刃１３ａまでの長さの半分程度になっている。この長さの差の部分が、ペーパーｂを切断した後の垂下する長さとなる。上部ガイド３３の前端部３３ｂはペーパーｂが垂下し易いように、下向きに丸み帯びていて、ペーパーｂがこの前端部３３ｂで破れないようになっている。
【００４２】
ペーパーガイド３の前方回動時に、所定の回動位置、例えば１４０度〜１５０度前後の開き角度でペーパーガイド３を止めるガイドストッパー３４が左右の側板１１の前部側内面間に設けられている。ガイドストッパー３４はペーパーガイド３の一部を構成する下部ガイド３１の前部上面が当接することでそれ以上手前側に傾くのを防ぐ構造になっている。
【００４３】
次に、上記発明を実施するための形態の構成に基づく使用方法について以下説明する。
トイレットペーパーホルダー１に新しいロールペーパーａを取り付ける場合には、図８に示すように、先ず、切断押え蓋１３を上側に開く。それから、ペーパーガイド３を正面側つまり手前側に開く。ペーパーガイド３の上部ガイド３３を手前側に引っ張ると、ペーパーガイド３は下部ガイド３１の前端側の付近の回動支点軸３１ｂを中心に手前側に向かって回動し始める。
【００４４】
ペーパーガイド３の水平な下部ガイド３１は、回動支点軸３１ｂを支点として、立ち上がる方向に回動し、９０度を超えて更に手前側に回動する。図面では下部ガイド３１は所定の水平位置から例えば１４０度〜１５０度前後、手前側に回動し、下部ガイド３１の前端側の上面がガイドストッパー３４に当たることによって、ペーパーガイド３の回動は止まる。所定の水平位置で下面となる部分が斜め上向きの例えば４０度前後の傾斜状態になる（図８参照）。
【００４５】
ペーパーガイド３を開くと、ロールペーパー保持部２がその下側に現れる。現れたロールペーパー保持部２に向かって、斜め上向きに傾斜している下部ガイド３１の下面の表面を利用して、ロールペーパーａを落とし込む。この場合、ロールペーパーａのペーパー先端ｃの部分を手で掴んだ状態で、ロールペーパーａを下部ガイド３１の下面の傾斜面を転動させる。ロールペーパーａは自身の重さもあって、傾斜面を下向きに転がる。転がるロールペーパーａは、転がりながらペーパーｂ部分が相対的に引き出される（図８参照）。
【００４６】
下部ガイド３１の下面の傾斜面を転動したロールペーパーａは、下部ガイド３１の前端部分を超え、その下方のロールペーパー保持部２の内部に落ちて行く。ロールペーパー保持部２の下部側にはロールペーパー受片２１が設けられており、ロールペーパー保持部２の内部に落ちたロールペーパーａはこのロールペーパー受片２１によって回転自在に支えられることになる。
【００４７】
ロールペーパーａがロールペーパー受片２１によって支えられたところで、開いていたペーパーガイド３を閉じる（図９参照）。ペーパーガイド３の上部ガイド３３を背板１２側に向けて押すと、ペーパーガイド３は下部ガイド３１の前端側の付近の回動支点軸３１ｂを支点として、先ほどの逆向きに回動し、斜め下向きに傾斜していた縦ガイド３２の縦側端溝壁３２ａが垂直状態に戻って背板１２の内面に当接することで、斜め上向きに傾斜していた下部ガイド３１は元の水平状態に戻り、ペーパーガイド３は閉じられる。
【００４８】
また、この間、ペーパー先端ｃはロールペーパーａから相対的に引き出された状態となり、ペーパーガイド３を閉じた状態で、ペーパー先端ｃはペーパーガイド３の上部ガイド３３の前端部３３ｂから手で掴み易い長さで垂下する。このように、ペーパー先端ｃを手で調整しなくても、適宜長さで前端部３３ｂから垂下させることができ、手が不自由な者でも、簡単容易に、ロールペーパーａをトイレットペーパーホルダー１に取り付けることが可能となる。
【００４９】
一方、トイレットペーパーホルダー１を使用して、ロールペーパーａからペーパーｂを引き出す場合には、ペーパーガイド３の上部ガイド３３の前端部３３ｂから垂下しているペーパー先端ｃを手で掴む。ペーパー先端ｃはロールペーパーａから離れて垂下しているため、目が良く見えなくても、叉手が不自由な者でも、簡単容易にペーパー先端ｃを掴むことができる。
【００５０】
ペーパー先端ｃを手で掴んで、手元側に所望の長さ分だけ引き出す。このとき、第２負荷部材１６には接触しないように斜め下向きに引き出す。第１負荷部材１５との接触抵抗だけではペーパーｂはミシン目で切れることはなく、ペーパーｂを所望の長さだけ引き出すことができる。それから上向きに引き上げて、ペーパーｂの途中部分を切断押え蓋１３の先端のペーパー切断刃１３ａに下側から当てて、ペーパー先端ｃを上向きに引っ張ると、ペーパーｂは第１負荷部材１５と第２負荷部材１６の接触抵抗によって、切断時に必要な張力が付与されるため、ペーパーｂの途中部分は切断押え蓋１３のペーパー切断刃１３ａにより、簡単に切断されて切り離される。
【００５１】
このように、片手で必要な長さのペーパーｂを引き出すことができると共に、その引き出したペーパーｂをそのままの片手で切断させることができる。つまり、片手が不自由な者も使用できるのである。ペーパー切断刃１３ａで切断された先端部分は自身の重さで、ペーパーガイド３の上部ガイド３３の前端部３３ｂを上端として下向きに垂下して、新しいペーパー先端ｃとなる。以後、同様な動作で、ロールペーパーａからペーパーｂを所望長さだけ切り離して使用することができる。
【００５２】
なお、この発明は上記発明を実施するための形態に限定されるものではなく、この発明の精神を逸脱しない範囲で種々の改変をなし得ることは勿論である。
【符号の説明】
【００５３】
１    トイレットペーパーホルダー
１１    側板
１１ａ  ストッパー受穴
１２    背板
１３    切断押え蓋
１３ａ  ペーパー切断刃
１３ｂ  回動軸
１３ｃ  ストッパー片
１４    下部正面板
１５    第１負荷部材
１６    第２負荷部材
２    ロールペーパー保持部
２１    ロールペーパー受片
２２    ペーパー側部ガイド片
３    ペーパーガイド
３１    下部ガイド
３１ａ  下部側端溝壁
３１ｂ  回動支点軸
３２    縦ガイド
３２ａ  縦側端溝壁
３３    上部ガイド
３３ａ  上部側端溝壁
３３ｂ  前端部
３４    ガイドストッパー
ａ    ロールペーパー
ｂ    ペーパー
ｃ    ペーパー先端
ｄ    ロール芯
【図１】
0005629301.tif 000002
【図２】
0005629301.tif 000003
【図３】
0005629301.tif 000004
【図４】
0005629301.tif 000005
【図５】
0005629301.tif 000006
【図６】
0005629301.tif 000007
【図７】
0005629301.tif 000008
【図８】
0005629301.tif 000009
【図９】
0005629301.tif 000010
【図１０】
0005629301.tif 000011